(57)【要約】【課題】複数の材料からなる古紙をパルプにして抄紙しても繊維の安定した再生紙を抄紙することができる古紙計量装置における古紙計量・個別分配装置。【解決手段】古紙パルプ製造工程と古紙パルプを抄紙する抄紙工程を有する小型古紙再生装置において、少なくとも古紙パルプ製造工程は細片化された古紙を計量する古紙計量装置を有する古紙計量部と、古紙計量部から供給される古紙を離解及び／又は叩解して古紙パルプ懸濁液にする離解・叩解部からなり、複数に分類された古紙の計量及び離解・叩解部への供給を個別に行うことにより、任意の重量割合で配合された古紙パルプの製造を可能とすることを特徴とする小型古紙再生装置における古紙計量・個別分配装置。【選択図】  図１
2014025182.tif 000002
【特許請求の範囲】
【請求項１】
古紙パルプ製造工程と古紙パルプを抄紙する抄紙工程を有する小型古紙再生装置において、少なくとも古紙パルプ製造工程は細片化された古紙を計量する古紙計量装置を有する古紙計量部と、古紙計量部から供給される古紙を離解及び／又は叩解して古紙パルプ懸濁液にする離解・叩解部からなり、複数に分類された古紙の計量及び離解・叩解部への供給を個別に行うことにより、任意の重量割合で配合された古紙パルプの製造を可能とすることを特徴とする小型古紙再生装置における古紙計量・個別分配装置。
【請求項２】
細片化された古紙をベルトコンベアで移送し、古紙計量装置に供給することを特徴とする請求項１記載の小型古紙再生装置における古紙計量・個別分配装置。
【請求項３】
前記複数に分類された古紙が、小型古紙再生装置内で細片化された新聞古紙と、シュレッダーにより細断化された新聞以外の古紙であることを特徴とする請求項１記載の小型古紙再生装置における古紙計量・個別分配装置。
【請求項４】
細片化された古紙を貯留する貯留部を複数設け、前記貯留部ごとに古紙を分類することを特徴とする請求項１記載の小型古紙再生装置における古紙計量・個別分配装置。
【発明の詳細な説明】
【技術分野】
【０００１】
本発明は、小型古紙再生装置における古紙計量・個別分配装置に関するものである。
【背景技術】
【０００２】
古新聞紙や文章の細断屑のリサイクルは、ごみを減量化し、焼却や埋立てなどの廃棄物処理による環境負荷を低減することができ、資源の有効利用につながる。また、パルプの需要は今後世界的に高まることが予想されているが、植林などを進めてもパルプの供給には限りがある。森林資源への過度な需要圧力を緩和するためにも、資源としての古紙の役割はますます重要になっている。
【０００３】
古新聞紙や文章の細断屑の再利用方法として、新聞紙や文章の細断屑をリサイクル専門業者に引き取ってもらい再利用することが考えられるが、費用や手間がかかり現状としては、焼却ごみとして廃棄することが多い。
【０００４】
文章の細断屑の再生を企業、官庁、組合、団地などの組織単位で行うことができる比較的に小型の文書細断屑用古紙再生装置が開示されている。文書細断屑用古紙再生装置とは、少なくとも古紙再生パルプ製造部と再生紙を製造・調整する抄紙部を一体的に備えたものである。尚、古紙パルプの製造に関しては、ホッパー装置に供給された文書細断屑が、文書細断屑計量機構に送られ、所定の重量が計測された後、パルパー装置内で水などと混合攪拌することで、再生パルプ懸濁液を製造している。例えば、特許文献１のように。
【０００５】
また、古紙パルプの製造に関して、シュレッダータンクに供給された所定サイズより小さいサイズに切断された古紙が、計測部に送られ、所定の重量が計測された後、パルパー内で離解され、パルプ懸濁液となる技術が公開されている。例えば、特許文献２のように。
【先行技術文献】
【特許文献】
【０００６】
【特許文献１】特開２００９−２８０９２６号公報
【特許文献２】特開２０１２−０６２５８２号公報
【発明の概要】
【発明が解決しようとする課題】
【０００７】
上記特許文献１において、ホッパーの中に複数の材料からなる文書細断屑が混ざった状態で、再生パルプ懸濁液を生成し、再生紙を抄紙した場合に、古紙材料の配合割合を調整することができないため、再生紙内のパルプ繊維の配合割合が、再生パルプ懸濁液を生成する都度異なり、均一な再生紙を製造することができない。そのため、ホッパー内には、使用済みのコピー用紙からなる文書細断屑など一種類の古紙材料からなる文書細断屑を供給することが好ましい。また、古紙の重量を計測する計量機構の構造が複雑であり、コストがかかる。特許文献２に関しても同様である（古紙の重量を計測する計測部は簡略化されている）。
【課題を解決するための手段】
【０００８】
古紙を原料とした古紙パルプを抄紙する古紙再生装置において、複数の材料からなる古紙パルプを抄紙しても繊維の安定した再生紙を抄紙することができる小型古紙再生装置における古紙計量・個別分配装置を提供することにある。
【発明の効果】
【０００９】
本発明によると、複数に分類された古紙の計量及び離解・叩解部への供給を個別に行うことにより、複数の材料からなる古紙を使用した場合でも、所定重量で配合された古紙パルプの製造が可能となり、繊維の安定した再生紙を抄紙することができる。さらに、本発明の小型古紙再生装置により、家庭、団地、オフィス等から大量に出る新聞古紙を所定重量で配合した再生紙を製造することができる。
【図面の簡単な説明】
【００１０】
【図１】本発明の一実施例を示し、古紙パルプ製造工程の概略図である。
【図２】本発明の一実施例を示し、図１中のａ−ａ断面図である。
【図３】本発明の一実施例を示し、受皿とロードセルが傾斜した状態を示す断面図である。
【図４】本発明の他の実施例を示し、古紙計量装置の断面図である。
【図５】本発明の一実施例を示す古紙計量装置の斜視図である。
【図６】本発明の他の実施例を示す古紙計量装置の斜視図である。
【発明を実施するための形態】
【００１１】
本発明は、古紙のリサイクルと資源環境の保護はもとより、情報漏洩防止のため、事業所等の古紙発生場所にて、処理、再生を行い、例えば、トイレットペーパー等の再生紙を製造することのできる小型古紙再生装置である。図１に例示するように古紙パルプ製造工程（１）は、少なくとも細片化された古紙の貯留部（６）と、貯留部（６）から供給される古紙を計量する古紙計量装置（２）を有する古紙計量部と、古紙計量部から供給される古紙を離解及び／又は叩解して古紙パルプ懸濁液にする離解・叩解部（３）からなる。
【００１２】
本発明である古紙パルプ製造工程（１）の一実施例を図１に基づいて説明すると、小型古紙再生装置内に供給された細断屑（シュレッダーにより細片化されたコピー用紙のみが好ましい）は、古紙貯留部（６）に供給され、その後、ベルトコンベヤ（７）等の移送手段により古紙計量装置（２）内に供給される。古紙計量装置（２）内のシュレッダー古紙は所定重量になると離解・叩解部（３）の水槽（Ｗ）の開口部から水槽Ｗ内に供給される。
【００１３】
新聞古紙（４）は、小型古紙再生装置内の新聞切断部（５）によって細片化された後、古紙計量部へ供給され、古紙計量装置（２）により所定重量にされる。所定重量になった新聞古紙は、離解・叩解部（３）の水槽（Ｗ）の開口部から水槽（Ｗ）内に供給される。
【００１４】
尚、新聞古紙用の古紙貯留部を設けることや、分類した古紙をそれぞれ貯留するための古紙貯留部を複数設けてもよい。
【００１５】
小型古紙再生装置内で複数に分類した細断屑（ここでは、一例としてシュレッダーにより細片化されたコピー用紙と細片化された新聞古紙及びの２種類）を別々に計量して所定重量とし、離解・叩解部（３）へ定量供給することにより、所定重量で配合された複数の材料からなる古紙パルプの製造が可能となる。
【００１６】
古紙計量装置（２）は、古紙を収容する内収容部材（９）と、該内収容部材（９）を収容する外収容部材（８）と、内収容部材（９）と古紙を載置する受皿（１０）と、古紙の重量を検知し受皿（１０）とシャフトを固定したロードセル（１３）と、内収容部材（９）と固定されたガイド部材（１１）からなる。シャフト（１４）の回転は、図１に例示するようにモータ（１５）とギア（１６）、（１７）を使用する構造が好ましい。内収容部材（９）とガイド部材（１１）の固定は、ネジでの締結が好ましいが、溶接や一体成型でもよい。また、図４に例示するように受皿（１０）は、内収容部材（９）と古紙の他にガイド部材（１１）も載置する構造でもよい。
【００１７】
細片化された古紙が内収容部材（９）に入り、受皿（１０）に載置され、ロードセル（１３）があらかじめ設定した所定重量を検知すると、モータ（１５）の駆動により、ロードセル（１３）、受皿（１０）、シャフト（１４）が同時に回転する。ロードセル（１３）で検知する所定重量とは、古紙載置状態での重量〔内収容部材（９）、ガイド部材（１１）、固定具、古紙の総重量〕と古紙未載置状態での重量〔内収容部材（９）、ガイド部材（１１）、固定具の総重量〕との差である。
【００１８】
図２に例示するように、ロードセル（１３）と受皿（１０）は、所定重量を検知すると水平状態から図３に例示するように下降傾斜する。ロードセル（１３）と受皿（１０）の下降傾斜により受皿（１０）に載置された古紙が離解・叩解部（３）の水槽Ｗへと供給される。この時、内収容部材（９）は、内収容部材（９）に係合したガイド部材（１１）が外収容部材（８）の上端又は溝部（１２）に係合するまで下降する。上記操作を複数回繰り返すことで、複数に分類された古紙の計量、及び離解・叩解部（３）への供給が個別で可能となり、任意の重量割合で配合された古紙パルプの製造が可能となる。
【００１９】
古紙を水槽Ｗに供給した後、ロードセル（１３）と受皿（１０）は、図３に例示するように上昇傾斜する。ロードセル（１３）と受皿（１０）の上昇傾斜により内収容部材（９）及び／又はガイド部材（１１）を持ち上げ、再び図２に例示するような水平状態に戻る。再度、受皿（１０）に古紙が載置され、古紙計量装置（２）が所定重量を検知すると水平状態から図３に例示するように下降傾斜する。
【００２０】
以上の構造により、簡易で正確な古紙の計量及び離解・叩解部（３）への定量供給が可能となる。
【００２１】
ガイド部材（１１）は、凹状の溝部（１２）が形成されている。受皿（１０）とロードセル（１３）が傾斜すると内収容部材（９）と内収容部材（９）に固定したガイド部材（１１）が下降する。図３に例示するように、受皿（１０）及びロードセル（１３）の下降傾斜時に、ガイド部材（１１）に設けた溝部（１２）と外収容部材（８）の上端が係合することにより内収容部材（９）とガイド部位材（１１）の下降が停止する。
【００２２】
また、別の形態として図６に例示するように、ガイド部材（１１）に設けた凸状の突部（１９）と外収容部材（８）に設けた凹状の溝部（１８）が係合することにより、内収容部材（９）とガイド部材（１１）の下降を停止してもよい。ガイド部材（１１）は、１ないし複数設けてもよいが、図５、６に例示するように２箇所に設けることが好ましい。
【００２３】
離解・叩解部（３）は、上記水槽Ｗと上部が開口した円筒状のケーシングである離解・叩解装置（２０）からなり、離解・叩解装置（２０）の内部に所定重量になった細断屑を離解する離解刃、叩解する叩解刃、底部に回転板を設けている。離解・叩解装置（２０）に供給された細断屑は、モータ等の回転源により、底部の回転板が回転し、離解刃、叩解刃により離解、叩解されて古紙パルプ懸濁液となる。古紙パルプ懸濁液は抄紙工程で抄紙されて再生紙となる。
【産業上の利用可能性】
【００２４】
本発明は、小型古紙再生装置の技術を確立し、その確立された技術に基づいて装置を実施・販売することにより、産業上の利用可能性がある。
【符号の説明】
【００２５】
１  古紙パルプ製造工程
２  古紙計量装置
３  離解・叩解部
４  新聞古紙
５  新聞切断部
６  古紙貯留部
７  ベルトコンベヤ
８  外収容部材
９  内収容部材
１０  受皿
１１  ガイド部材
１２  溝部
１３  ロードセル
１４  モータ
１５  シャフト
１６  ギア
１７  ギア
１８  溝部
１９  突部
２０  離解・叩解装置
Ｗ  水槽
【図１】
2014025182.tif 000003
【図２】
2014025182.tif 000004
【図３】
2014025182.tif 000005
【図４】
2014025182.tif 000006
【図５】
2014025182.tif 000007
【図６】
2014025182.tif 000008